(57)【要約】【課題】  外部接続ケーブルの処理作業等を行う空間内に雨水が浸入したり動物や昆虫が侵入したりすることなく常に清潔に保てるようにして短絡事故の発生等を防止し、メンテナンス作業等も容易に行うことができる電気機器収納パッケージハウスを提供する。【解決手段】  ハウス筐体２を備え、このハウス筐体２はその内部が床を境にして上下２つの閉鎖された収納室５，６に区画され、上側収納室５内には各種の電気機器が収納される一方、下側収納室６内には電気機器相互間を接続する内部接続ケーブル１９を布設する配線棚２０や電気機器をハウス筐体２の外部に電気的に引き出すための外部接続ケーブル２１を布設する配線棚２２が作業空間を確保した状態で設置されている。【選択図】        図２
2005150433.tif 000002
【特許請求の範囲】
【請求項１】
ハウス筐体を備え、このハウス筐体は、その内部が床を境にして上下２つの閉鎖された収納室に区画され、上側収納室内には各種の電気機器が収納される一方、下側収納室内には上記電気機器相互間を接続する内部接続ケーブルを布設する配線棚、および上記電気機器をハウス筐体の外部に電気的に引き出すための外部接続ケーブルを布設する配線棚が作業空間を確保した状態で設置されていることを特徴とする電気機器収納パッケージハウス。
【請求項２】
上記ハウス筐体の上記外部接続ケーブルの外部引出側と反対側に位置する壁面には、上記外部接続ケーブルの配線施工用の取込口が上記下側収納室内に通じる状態で形成されるとともに、この取込口を開閉する開閉蓋が取り付けられていることを特徴とする請求項１記載の電気機器収納パッケージハウス。
【請求項３】
上記ハウス筐体は、上記上側収納室が確保された上側筐体と、上記下側収納室が確保された下側筐体と有し、この下側筐体は上側筐体に対して上下動可能に設けられて下側収納室内の容積が調整できるように構成されていることを特徴とする請求項１または請求項２に記載の電気機器収納パッケージハウス。
【請求項４】
上記ハウス筐体の上記外部接続ケーブルの外部引出側に位置する壁面には、長手方向に沿って伸縮自在なケーブル布設ダクトが取り付けられていることを特徴とする請求項１ないし請求項３のいずれか１項に記載の電気機器収納パッケージハウス。
【発明の詳細な説明】
【技術分野】
【０００１】
本発明は、たとえば発電所などに設置される電気機器収納パッケージハウスに関する。
【背景技術】
【０００２】
発電所や変電所などにおいて、各種の電気機器を設置するために機器収納用のビルを新たに建設するのは建設費用が嵩むとともに工期も長くかかる。そこで、短期間でかつ安価に各種の電気機器を収納可能な建屋を建設できるものとして、従来より、電気機器収納パッケージハウスが提供されている（例えば、特許文献１参照）。
【０００３】
図１７はこの種の従来の電気機器収納パッケージハウスの設置状態を示す正面断面図、図１８は図１７のＸ−Ｘ線に沿う断面図である。
【０００４】
この電気機器収納パッケージハウス１００においては、降雨や直射日光、湿気等の侵入による電気機器への影響を防止するために、ハウス筐体１０１の内部を閉鎖空間とした上で、電気機器を集合して収納したパッケージ１０２が設置されている。
【０００５】
また、床材１０３と床梁１０４との間の設置空間１０５内にはパッケージ１０２に収納された電気機器の相互間を接続するための図示しない内部接続ケーブルが布設されている。また、パッケージ１０２に収納されている各種電気機器は、他の電気設備建屋や他の電気機器収納パッケージハウス等と電気的に接続する必要が生じるため、パッケージ１０２の各電気機器に一端が接続された外部接続ケーブル１０８をハウス筐体１０１の底部に設けたケーブル挿通口（図示せず）を通して下方に引き出している。
【０００６】
この場合、ハウス筐体１０１の下方に引き出される外部接続ケーブル１０８は、電源用、制御用、計装用などの各種のものがあるので、大きな配線処理空間を確保する必要がある。そのため、従来は、ハウス筐体１０１の下方の地面を断面凹状に掘削してケーブルトレンチ１０９を形成し、このケーブルトレンチ１０９内に配線棚１１０を設置し、この配線棚１１０にハウス筐体１０１の下方に引き出された外部接続ケーブル１０８を沿わせて布設するようにしている。また、このケーブルトレンチ１０９には、当該トレンチ１０９内で外部接続ケーブル１０８の配線処理作業やメンテナンス作業等を行う必要があるため、所要の作業空間が確保されている。
【０００７】
【特許文献１】特開２００−２５２６５４号公報
【発明の開示】
【発明が解決しようとする課題】
【０００８】
図１７および図１８に示したような従来の電気機器収納パッケージハウス１００においては、次のような課題が残されている。
【０００９】
（１）  従来は、ハウス筐体１０１をケーブルトレンチ１８を覆うように地上に単に載置した構成であるので、ハウス筐体１０１の真下のケーブルトレンチ１０９内に雨水が浸入して水溜まり１１１が生じたり、動物や昆虫の棲み処となって不潔になり易い。このため、ハウス筐体１０１で上部が覆われたケーブルトレンチ１０９内の配線棚１１０が湿気によって腐食し易く、また、外部接続ケーブル１０８のメンテナンス作業等がしづらい等の不具合を生じている。
【００１０】
また、外部接続ケーブル１０８の配線工事中は、ハウス筐体１０１の底部から外部接続ケーブル１０８を引き出すためのケーブル挿通口は開放されたままの状態でかつ外部接続ケーブル１０８がケーブルトレンチ１０９内に垂れ下がっているので、この垂れ下がった外部接続ケーブル１０８を伝って動物や昆虫がハウス筐体１０１の内部に容易に侵入して短絡事故を発生させるなどの問題が生じる。
【００１１】
（２）  上記の不具合発生を防止するために、例えば、内部配線ケーブルが布設される設置空間１０５を拡張し、この拡張した設置空間１０５内に外部接続ケーブル１０８も同時に布設することが考えられる。
【００１２】
しかし、外部接続ケーブル１０８は配線数が多く、また、設置空間１０５で配線やメンテナンス等の作業を行う必要もあることから、外部接続ケーブル１０８も布設するとなれば設置空間１０５はできるだけ広く確保せねばならない。そうすると、設置空間１０５が広がる分だけハウス筐体１０１内に設置されているパッケージ１０２の地表からの据付レベルが高くなり、作業員はパッケージ１０２内の各種電気機器の操作がしづらくなる。
【００１３】
（３）  外部接続ケーブル１０８の布設時には、ケーブルトレンチ１０９に近接した地面にケーブルドラムを設置した後、このケーブルドラムから外部接続ケーブル１０８を引き出して、パッケージ１０２から図示しない他の電気設備建屋や電気機器収納パッケージハウス等に至るまでの長さ分だけ切断する必要がある。
【００１４】
その際、ケーブルドラムから引き出した外部接続ケーブル１０８は、ケーブルトレンチ１０９の一方側（図１７では右側）からしか挿入できないので、他端側はケーブルトレンチ１０９の配線棚１１０に沿って電気設備建屋等に至るまでのケーブル長を推定して切断せねばならない。このため、外部接続ケーブル１０８の配線作業に手間どるばかりか、外部接続ケーブル１０８の切断長さが不適切な場合にはこれを破棄せざるを得なくなるといった不都合を生じている。
【００１５】
本発明は、上記の課題を解決するためになされたもので、筐体内への湿気の侵入、あるいは動物や昆虫の侵入等に起因した短絡事故や絶縁不良等の発生を防止できるだけでなく、外部接続ケーブルのメンテナンス作業も容易に行え、また、ハウス筐体内に設置されているパッケージの地表からの据付レベルを低く保つことができて各種電気機器の操作を容易に行うことができ、さらに、外部接続ケーブルを必要な長さ分だけ確実に引き出せるようにして配線処理作業を容易に行うことができる電気機器収納パッケージハウスを提供することを目的とする。
【課題を解決するための手段】
【００１６】
上記の目的を達成するために、本発明の電気機器収納パッケージハウスは、ハウス筐体を備え、このハウス筐体は、その内部が床を境にして上下２つの閉鎖された収納室に区画され、上側収納室内には各種の電気機器が収納される一方、下側収納室内には上記電気機器相互間を接続する内部接続ケーブルを布設する配線棚、および上記電気機器をハウス筐体の外部に電気的に引き出すための外部接続ケーブルを布設する配線棚が作業空間を確保した状態で設置されていることを特徴としている。
【００１７】
この場合、上記ハウス筐体の外部接続ケーブルの外部引出側と反対側に位置する壁面に外部接続ケーブルの配線施工用の取込口が下側収納室内に通じる状態で形成されるとともに、この配線施工用の取込口を開閉する開閉蓋が取り付けられた構成とすることができる。
【００１８】
また、ハウス筐体は、上側収納室が確保された上側筐体と下側収納室が確保された下側筐体とを有し、この下側筐体は上側筐体に対して上下動可能に設けられて下側収納室内の容積が調整し得る構成することができる。また、上記ハウス筐体の外部接続ケーブルの外部引出側に位置する壁面に長手方向に沿って伸縮自在なケーブル布設ダクトが取り付けられた構成とすることができる。
【発明の効果】
【００１９】
本発明によれば、接続ケーブルや配線棚が設置される下側収納室は外部から閉鎖された状態になっているので、この下側収納室内に雨水が浸入したり動物や昆虫が侵入したりすることがなく室内は常に清潔に保たれる。このため、湿気の侵入や、あるいは動物、昆虫等の侵入に起因して短絡事故や絶縁不良が生じるなどの不具合発生を確実に防止することができる。また、下側収納室内は常に清潔なので接続ケーブルのメンテナンス作業等も容易に行うことができる。
【００２０】
また、ハウス筐体の下側収納室内に該当する部分を、地面を掘削した据付トレンチ内に設置すれば、上側収納室内に設置されているパッケージの地表からの据付レベルはそれほど高くならないので、作業員は各種電気機器の操作を容易に行うことができる。
【００２１】
また、ハウス筐体の外部接続ケーブルの外部引出側と反対側に位置する壁面に外部接続ケーブルの配線施工用の取込口が下側収納室内に通じる状態で設けられているので、地表に設置したケーブルドラムから引き出した外部接続ケーブルを取込口から下側収納室内に導き、その先端を下側収納室内を貫通して他の電気設備建屋等に接続することができる。このため、従来のようにケーブルドラムからのケーブル引き出し長さを推定しなくても、実際に必要な長さ分だけ外部接続ケーブルを引き出した上で切断することができる。このため、配線作業を容易に行えるばかりか、ケーブルの切断長さが不適切なためにこれを破棄せざるを得なくなるといった従来の不都合を解消することができる。
【００２２】
さらに、ハウス筐体を上側収納室が確保された上側筐体と下側収納室が確保された下側筐体とで構成し、下側筐体を上側筐体に対して上下動可能に設けた場合には、下側収納室内の容積を調整し得るため、パッケージ内の電気機器の増設や変更等に伴って外部接続ケーブルや配線棚が増加した場合でも適切に対応することが可能になる。
【００２３】
さらにまた、ハウス筐体の外部接続ケーブルの外部引出側に位置する壁面に長手方向に沿って伸縮自在なケーブル布設ダクトを取り付ければ、外部接続ケーブルを他の電気設備建屋や他の電気機器収納パッケージハウス等と電気的に接続する際に相互の据え付けレベルが異なっている場合にも適切な対応をとることができ、外部接続ケーブルの布設を容易に行える。また、ケーブル布設ダクト内には雨水の浸入や、動物、昆虫等が侵入する恐れもないので一層都合がよい。しかも、ケーブルトレンチは掘削するだけでよく、コンクリート等の内張り等を殊更行う必要がないのでケーブル施工作業が容易になる。
【発明を実施するための最良の形態】
【００２４】
実施の形態１．
図１は本発明の実施の形態１に係る電気機器収納パッケージハウスの設置状態を示す正面断面図、図２は図１のＡ−Ａ線に沿う断面図、図３は図１のＢ−Ｂ線に沿う断面図、図４は図１のＣ−Ｃ線に沿って切断して通路床面の状態を示した断面図、図５は図１のＤ−Ｄ線に沿って切断して床梁の状態を示した断面図、図６は図１のＥ−Ｅ線に沿って切断して配線棚とそのサポートの状態を示した断面図である。
【００２５】
この実施の形態１に係る電気機器収納パッケージハウス１は、ハウス筐体２を備え、このハウス筐体２は、共に直方体状をした上側筐体３と下側筐体４とを有し、上下の両筐体３，４が後述する床梁７を介して互いに一体連結されている。これにより、ハウス筐体２が上下２つの閉鎖された収納室５，６に区画されている。
【００２６】
上側筐体３は、外壁３ａと内壁３ｂとからなり、内壁３ｂで囲まれた内側に上側収納室５が確保されている。また、上側筐体３の底部には、この上側筐体３を支持するＩ型鋼等でできた床梁７が設けられ、上側筐体３の長手方向に直交する側の床梁７は上側筐体３の横幅よりもさらに外方に突出して設けられている。床梁７の上にはグレーチング等からなる床材１０が敷設されている。さらに、上側収納室５内には図示しない各種の電気機器が収納されたパッケージ１１が設置されるとともに、照明器具１２やエアコン室内機１３などが設置されている。また、上側筐体３の前後２箇所には電気機器の搬入搬出用のドア１４やオペレータの出入用のドア１５が設けられている。
【００２７】
一方、下側筐体４は、予め地面を断面凹状に掘削して形成された据付トレンチ１８内に設置されるもので、外壁４ａと内壁４ｂとからなり、内壁４ｂで囲まれた内側に下側収納室６が確保されている。そして、この下側収納室６内には電気機器相互間を接続する内部接続ケーブル１９とこれを布設する配線棚２０、および電気機器をハウス筐体２の外部に電気的に引き出すための外部接続ケーブル２１とこれを布設する配線棚２２、およびこれらの配線棚２０，２２を支持するサポート２３が作業空間を確保した状態で配設されている。さらに、下側収納室６内には照明器具２４や上側収納室５内から下側収納室６内に移動するための梯子２５等が設置されている。
【００２８】
下側筐体４から外部接続ケーブル２１が外部に引き出されるのと反対側に位置する上側筐体３の壁面の下部には、外部接続ケーブル２１の配線施工用の取込口２９が下側収納室６内に通じる状態で形成されるとともに、この配線施工用の取込口２９を開閉する開閉蓋３０が取り付けられている。
【００２９】
そして、下側収納室６内の配線棚２２に布設された外部接続ケーブル２１は、下側筐体４の内壁４ｂおよび外壁４ａを貫通する図示しないケーブル挿通孔を通して外部に引き出され、さらに据付トレンチ１８に連続して掘削形成されたケーブルトレンチ３６内に設置された配線棚３７に沿って布設されている。なお、外部接続ケーブル２１が挿通されるケーブル挿通孔と内壁４ｂおよび外壁４ａとの隙間はシーリング剤等によって封止されている。なお、３４はエアコン室外機、３５は床梁７が設置される金属製の支持台である。
【００３０】
この電気機器収納パッケージハウス１を据え付ける場合には、図７に示すように、下側筐体４を挿入できる大きさに据付トレンチ１８を掘削形成するとともに、この据付トレンチ１８に連続してケーブルトレンチ３６を掘削形成し、このケーブルトレンチ３６内に配線棚３７を設置する。また、据付トレンチ１８の両側の地表部に支持台３５を配置する。
【００３１】
そして、図８に示すように、電気機器収納パッケージハウス１の下側筐体４を据付トレンチ１８内に挿入して床梁７を支持台３５上に載置した後に図示しないボルト等で固定する。これにより、地盤が沈下しても作業員はドア１５から上側収納室５に自由に出入りすることができる。
【００３２】
外部接続ケーブル２１を布設するには、図９に示すように、ケーブルドラム３８を配線施工用の取込口２９に近接した位置に設置した受け台３９に回転可能に載置するとともに、上側筐体３に設けられている開閉蓋３０を開く。そして、ケーブルドラム３８から引き出した外部接続ケーブル２１をケーブル支持ローラ３１を介して取込口２９から下側収納室６に導いて配線棚２２に沿って延出し、さらに、下側筐体４の内壁４ｂおよび外壁４ａを貫通する図示しないケーブル挿通孔を通して下側筐体４の外部に引き出し、さらにケーブルトレンチ３６内の配線棚３７に沿わせてその先端が他の電気機器収納パッケージハウスや他の電気設備建屋等に至るまで延出する。
【００３３】
したがって、従来のようにケーブルドラム３８からのケーブル引き出し長さを推定しなくても、実際に外部接続ケーブル２１を必要な長さ分だけ確実に引き出した上で切断することができるので、配線作業を容易に行えるばかりか、外部接続ケーブル２１の切断長さが不適切なためにこれを破棄せざるを得なくなるといった従来の不都合を解消することができる。
【００３４】
このように、この実施の形態１では、下側筐体４内の下側収納室６には、内部接続ケーブル１９や外部接続ケーブル２１、およびこれらのケーブル１９，２１を布設する配線棚２０，２２が設置されるが、この下側収納室６は外部から閉鎖されているので、この下側収納室６内に雨水が浸入したり、湿気が入り込んだり、動物や昆虫が侵入したりすることはなく、室内は常に清潔に保たれる。このため、配線棚２０，２２が腐食したり、湿気の侵入や動物、昆虫の侵入によって短絡事故や絶縁不良が生じるなどの不具合発生を確実に防止することができる。また、下側収納室６内は常に清潔なので外部接続ケーブル２１のメンテナンス作業等も容易に行うことができる。
【００３５】
また、据付トレンチ１８内に下側筐体４を設置すれば、上側筐体３だけが地表に位置するので、上側筐体３内部に設置されているパッケージ１１の地表からの据付レベルは高くならない。したがって、作業員は各種電気機器の操作を容易に行うことができる。
【００３６】
なお、外部接続ケーブル１０８の配線工事中は、外部接続ケーブル１０８を下側筐体４から外部に引き出すためのケーブル挿通口は開放されたままの状態になるが、ケーブルとの隙間は僅かであり、かつ外部接続ケーブル１０８がケーブルトレンチ３６の底部に垂れ下がることはないので、当該ケーブル１０８を伝って動物や昆虫がハウス筐体２の内部に侵入するおそれは少ない。
【００３７】
実施の形態２．
図１０はこの実施の形態２に係る電気機器収納パッケージハウスの上面断面図、図１１は図１０のＦ−Ｆ線に沿う断面図、図１２はシリンダ状のガイドとこのガイドに嵌入されている可動用支柱を示す斜視図であり、図１ないし図９に示した実施の形態１と対応する構成部分には同一の符号を付す。
【００３８】
この実施の形態２の電気機器収納パッケージハウス１の特徴は、上側筐体３に対して下側筐体４が上下動可能に設けられて下側収納室６内の容積が調整し得るように構成されていることである。
【００３９】
すなわち、上側筐体３を構成する外壁３ａと内壁３ｂとの間には複数箇所にシリンダ状のガイド４２が設けられるとともに、複数のガイドローラ４３が上下方向に沿って取り付けられている。一方、下側筐体４は、その底部が床梁４４で支持されており、下側筐体４の４隅に位置する床梁４４からは可動用支柱４５が立設され、この可動用支柱４５の上部がガイド４２に嵌入されている。また、下側筐体４の外側面は上記のガイドローラ４３に摺接している。
【００４０】
さらに、床梁４４と据付トレンチ１８の底面との間には、ガイド４２に加わる下側筐体４の荷重を軽減するためのエアマット４６が介装され、このエアマット４６はエア配管４７を介してエアポンプ４８に接続されている。なお、４２ａ，４５ａはガイド４２と可動用支柱４５にそれぞれ形成された位置調整用のストッパ穴、４９は各ストッパ穴４２ａ，４５ａに差し込まれるストッパである。
【００４１】
図１１（ａ）に示した状態から下側筐体４を下方に移動させるには、ストッパ４９をストッパ穴４２ａ，４５ａから引き抜くとともに、エアマット４６内のエアをエア配管４７およびエアポンプ４８を介して外部に排出してエアマット４６を縮小する。これに伴い、下側筐体４の可動用支柱４５がガイド４２に沿って下方に伸長して下側筐体４が据付トレンチ１８の底面に向けて移動する。その結果、図１１（ｂ）に示すように下側収納室６が拡張される。そして、下側収納室６が所要の容積になれば、エアポンプ４８を作動してエアマット４６がそれ以上に縮小しないように下側筐体４の移動を停止し、この状態でストッパ４９を各ストッパ穴４２ａ，４５ａに差し込んで、下側筐体４の位置を固定する。
【００４２】
このように、下側筐体４を上側筐体３に対して上下動可能に設けた構成とした場合には、下側収納室６内の容積を任意に調整し得るため、パッケージ１１内の電気機器の増設や変更等に伴って内外部の接続ケーブル１９，２１や配線棚２０，２２の数が増加した場合でも所要の作業空間を確保しつつ適切な対応をとることが可能になる。
その他の構成および作用効果は、実施の形態１の場合と同様であるから、ここでは詳しい説明を省略する。
【００４３】
なお、上記の実施の形態１，２の電気機器収納パッケージハウス１に対しては、図１３、図１４に示すように、ハウス筐体２の外部接続ケーブル２１の外部引出側に位置する壁面に長手方向に沿って伸縮自在なケーブル布設ダクト５１を取り付けておくことができる。
【００４４】
このような伸縮自在なケーブル布設ダクト５１を設けておくと、このケーブル布設ダクト５１を伸長してその内部に外部接続ケーブル２１を布設することで他の電気機器収納パッケージハウス１や他の電気設備建屋５２と電気的に接続することができる。しかも、その場合、例えば図１４に示すように、電気機器収納パッケージハウス１相互の据え付けレベルが異なっている場合でも、ケーブルトレンチ３６の施工工事の施工手直しを行わなくてもケーブル布設ダクト５１が変形することで外部接続ケーブル２１の布設を容易に行うことができる。さらに、ケーブル布設ダクト５１内には雨水の浸入や動物、昆虫等が侵入する恐れもないので都合がよい。しかも、ケーブルトレンチ３６は掘削するだけでよく、コンクリート等の内張り処理等を行う必要がないので施工作業が容易になる。
【００４５】
また、図１５および図１６に示すように、ケーブル布設ダクト５１には、その伸長方向に沿って所定のピッチでガイド板５３を設け、各ガイド板５３に配線棚３７の支持孔５３ａと作業員の通過口５３ｂを形成しておくことができる。このようにすると、支持孔５３ａ内に挿通した配線棚３７に沿って外部接続ケーブル２１を容易に布設できるとともに、作業員が外部接続ケーブル２１のメンテナンス等を容易に行うことができて都合がよい。
【図面の簡単な説明】
【００４６】
【図１】本発明の実施の形態１に係る電気機器収納パッケージハウスの設置状態を示す正面断面図である。
【図２】図１のＡ−Ａ線に沿う断面図である。
【図３】図１のＢ−Ｂ線に沿う断面図である。
【図４】図１のＣ−Ｃ線に沿って切断して通路床面の状態を示した断面図である。
【図５】図１のＤ−Ｄ線に沿って切断して床梁の状態を示した断面図である。
【図６】図１のＥ−Ｅ線に沿って切断して配線棚とそのサポートの状態を示した断面図である。
【図７】本発明の実施の形態１に係る電気機器収納パッケージハウスを据え付ける前の据付トレンチとケーブルトレンチの状態を示す平面図である。
【図８】本発明の実施の形態１に係る電気機器収納パッケージハウスを据付トレンチ内に設置した状態を示す平面図である。
【図９】本発明の実施の形態１に係る電気機器収納パッケージハウスにおける外部接続ケーブルの布設作業状態を示す説明図である。
【図１０】本発明の実施の形態２に係る電気機器収納パッケージハウスの上面断面図である。
【図１１】図１０のＦ−Ｆ線に沿う断面図である。
【図１２】実施の形態２において、リンダ状のガイドとこのガイドに嵌入されている可動用支柱を示す斜視図である。
【図１３】本発明に係る電気機器収納パッケージハウスにケーブル布設ダクトを取り付けて外部接続ケーブルを布設する状態を示す側面断面図である。
【図１４】本発明に係る電気機器収納パッケージハウスにケーブル布設ダクトを取り付けて外部接続ケーブルを布設する状態を示す側面断面図である。
【図１５】本発明に係る電気機器収納パッケージハウスに取り付けられたケーブル布設ダクトの詳細を示すもので、同図（ａ）は縦断面図、同図（ｂ）は横断面図である。
【図１６】本発明に係る電気機器収納パッケージハウスに取り付けられたケーブル布設ダクトに配線棚を設置した状態を示すもので、同図（ａ）は縦断面図、同図（ｂ）は横断面図である。
【図１７】従来の電気機器収納パッケージハウスの設置状態を示す正面断面図である。
【図１８】図１７のＸ−Ｘ線に沿う断面図である。
【符号の説明】
【００４７】
１  電気機器収納パッケージハウス
２  ハウス筐体
３  上側筐体
４  下側筐体
５  上側収納室
６  下側収納室
１９  内部接続ケーブル
２１  外部接続ケーブル
２９  取込口
３０  開閉蓋
５１  ケーブル布設ダクト
【図１】
2005150433.tif 000003
【図２】
2005150433.tif 000004
【図３】
2005150433.tif 000005
【図４】
2005150433.tif 000006
【図５】
2005150433.tif 000007
【図６】
2005150433.tif 000008
【図７】
2005150433.tif 000009
【図８】
2005150433.tif 000010
【図９】
2005150433.tif 000011
【図１０】
2005150433.tif 000012
【図１１】
2005150433.tif 000013
【図１２】
2005150433.tif 000014
【図１３】
2005150433.tif 000015
【図１４】
2005150433.tif 000016
【図１５】
2005150433.tif 000017
【図１６】
2005150433.tif 000018
【図１７】
2005150433.tif 000019
【図１８】
2005150433.tif 000020